(57)【要約】【課題】袋詰めゴミ処理装置の提供。【解決手段】袋詰めゴミ処理装置はローラー、軟性棒状物収集装置を含む。該ローラーは複数の粉塵ふるい孔、弧状托板、複数の袋破刀を含む。該複数の粉塵ふるい孔は長方形で該ローラー周面に設置し、該弧状托板は縦方向に、かつ中央に向かい突出し、該弧状托板表面には複数のゴミ袋フックを設置し、該複数の袋破刀は尖状で、筒壁に沿って縦方向に分布し、しかも該弧状托板と相対する。該軟性棒状物収集装置は該ローラー後端開口外に設置し、しかも該ローラー内部に伸入し、該ローラー前端に到達し、さらに該軟性棒状物収集装置は矩形長方枠体、錐型跨板、長方形間隙、収集箱を含む。該錐型跨板は該枠体頂縁に設置し、該長方形間隙は該錐型跨板頂端に設置し、該収集箱は該ローラー後端下方に設置し、軟性棒状物を受け取る。該ふるい孔クリーンアップ装置は少なくとも１個のポンプと水管を含み、その一端は該ローラー内に設置し、少なくとも１個のジェットノズルを形成し該ローラー内壁へと噴水し、及びその反対端は該ポンプの出口に接続する。【選択図】図１
2009511387.tif 000002
【特許請求の範囲】
【請求項１】
サポートフレーム、駆動装置、ローラー、軟性棒状物収集装置を含み、
該駆動装置は該サポートフレーム上に設置し、
該ローラーは該駆動装置により駆動され、しかもその両端に共に開口を備える中空長筒体で、該ローラーは複数の粉塵ふるい孔、弧状托板、複数の袋破刀を含み、
該複数の粉塵ふるい孔は長方形で該ローラー周面に設置し、
該弧状托板は縦方向に、かつ中央に向かい突出し、該弧状托板表面には複数のゴミ袋フックを設置し、
該複数の袋破刀は尖状で、筒壁に沿って縦方向に分布し、しかも該弧状托板と相対し、  該軟性棒状物収集装置は該ローラー後端開口外に設置し、しかも該ローラー内部に伸入し、該ローラー前端に到達し、さらに該軟性棒状物収集装置は矩形長方枠体、錐型跨板、長方形間隙、収集箱を含み、
該錐型跨板は該枠体頂縁に設置し、
該長方形間隙は該錐型跨板頂端に設置し、
該収集箱は該ローラー後端下方に設置し、軟性棒状物を受け取ることを特徴とする袋詰めゴミ処理装置。
【請求項２】
請求項１記載の袋詰めゴミ処理装置において、前記袋詰めゴミ処理装置はさらにふるい孔クリーンアップ装置を含み、それは該ローラー外に設置し、しかも複数のブラシホイールを設置し、それは該粉塵ふるい孔に対面し、しかも該ローラー表面と接触することを特徴とする袋詰めゴミ処理装置。
【請求項３】
請求項１記載の袋詰めゴミ処理装置において、前記ローラー外表面中段位置には環状ギア、駆動ギア、第一動力源を含み、
該駆動ギアは該ローラーサポートフレームの任意の側に設置し、しかも該環状ギアと噛み合い、
該第一動力源は該駆動ギアを回転動させることを特徴とする袋詰めゴミ処理装置。
【請求項４】
請求項１記載の袋詰めゴミ処理装置において、前記軟性棒状物収集装置はさらに第二動力源、環状伝動装置を含み、
該環状伝動装置は該枠体内部に縦に設置し、しかも該第二動力源により駆動され、それは２個の平行な環状チェーン、該２個の環状チェーン間に設置し、突出する複数の押し棒を含むことを特徴とする袋詰めゴミ処理装置。
【請求項５】
請求項１記載の袋詰めゴミ処理装置において、前記ローラーは前端から後端へと傾斜することを特徴とする袋詰めゴミ処理装置。
【請求項６】
請求項１記載の袋詰めゴミ処理装置において、前記サポートフレームの任意の側には前後２個のローラーを含み、該ローラーは該サポートフレーム上方で支えられることを特徴とする袋詰めゴミ処理装置。
【請求項７】
請求項２記載の袋詰めゴミ処理装置において、前記ふるい孔クリーンアップ装置は２個のサポートフレーム、駆動軸、複数のブラシホイール、駆動装置を含み、
該駆動軸は該２個のサポートフレームの間に設置し、
該ブラシホイールは該駆動軸上に設置し、
該駆動装置は該ブラシホイールを回転動させ該ローラー面に接触させ、各粉塵ふるい孔中の詰まりを清掃することを特徴とする袋詰めゴミ処理装置。
【請求項８】
サポートフレーム、駆動装置、ローラー、軟性棒状物収集装置、ふるい孔クリーンアップ装置を含み、
該駆動装置は該サポートフレーム上に設置し、
該ローラーは該駆動装置により駆動され、しかもその両端に共に開口を備える中空長筒体で、該ローラーは複数の粉塵ふるい孔、弧状托板、複数の袋破刀を含み、
該複数の粉塵ふるい孔は長方形で該ローラー周面に設置し、
該弧状托板は縦方向に、かつ中央に向かい突出し、該弧状托板表面には複数のゴミ袋フックを設置し、
該複数の袋破刀は尖状で、筒壁に沿って縦方向に分布し、しかも該弧状托板と相対し、  該軟性棒状物収集装置は該ローラー後端開口外に設置し、しかも該ローラー内部に伸入し、該ローラー前端に到達し、さらに該軟性棒状物収集装置は矩形長方枠体、錐型跨板、長方形間隙、収集箱を含み、
該錐型跨板は該枠体頂縁に設置し、
該長方形間隙は該錐型跨板頂端に設置し、
該収集箱は該ローラー後端下方に設置し、軟性棒状物を受け取り、
該ふるい孔クリーンアップ装置は少なくとも１個のポンプと水管を含み、その一端は該ローラー内に設置し、少なくとも１個のジェットノズルを形成し該ローラー内壁へと噴水し、及びその反対端は該ポンプの出口に接続することを特徴とする袋詰めゴミ処理装置。
【請求項９】
請求項８記載の袋詰めゴミ処理装置において、前記軟性棒状物収集装置はさらに第二動力源、環状伝動装置を含み、
該環状伝動装置は該枠体内部に縦に設置し、しかも該第二動力源により駆動され、それは２個の平行な環状チェーン、該２個の環状チェーン間に設置し、突出する複数の押し棒を含むことを特徴とする袋詰めゴミ処理装置。
【請求項１０】
請求項８記載の袋詰めゴミ処理装置において、前記ローラーは前端から後端へと傾斜することを特徴とする袋詰めゴミ処理装置。
【請求項１１】
請求項８記載の袋詰めゴミ処理装置において、前記サポートフレームの任意の側には前後２個のローラーを含み、該ローラーは該サポートフレーム上方で支えられることを特徴とする袋詰めゴミ処理装置。
【発明の詳細な説明】
【技術分野】
【０００１】
本発明は廃棄物処理装置に関する。特にゴミを詰めた袋を破ることができ、袋を破った後、ゴミ袋中の軟性棒状物及び粉塵を収集、処理し、後続のゴミ処理に利する袋詰めゴミ処理装置に係る。
【背景技術】
【０００２】
ゴミ袋中には各種異なる廃棄物を含むため、ゴミ収集員は通常ゴミ袋を開け、回収可能な物質を探す。しかし、これは非常に骨が折れ、また危険な作業である。なぜなら、ゴミ袋中には医療廃棄物などの汚染を含む廃棄物を収容する可能性があるからである。
【発明の開示】
【発明が解決しようとする課題】
【０００３】
本発明の特徴は袋詰めゴミ処理装置を提供する。本発明第一実施例は中空長筒状ローラー、軟性棒状物収集装置を含み、
該ローラーは進料装置、第一コンベアベルト、斜導板、第二コンベアベルトを含み、
該進料装置は該ローラーの前端前方に位置し、
該第一コンベアベルトは袋詰めゴミを該進料装置から該ローラーへと送入し、
該斜導板は該進料装置後端下縁から下方へと傾斜延伸し、
該第二コンベアベルトは該斜導板下方に位置し、該ローラー内から落ちた物品を次のゴミ処理工程へと輸送し処理を進め、
該軟性棒状物収集装置は該ローラー後端開口外面に設置し、しかも該ローラー内部に伸入し、該ローラー前端に到達し、さらに該軟性棒状物収集装置は矩形長方枠体、錐型跨板、長方形間隙、収集箱を含み、
該錐型跨板は該枠体頂縁に設置し、
該長方形間隙は該錐型跨板頂端に設置し、
該収集箱は該ローラー後端下方に設置し、軟性棒状物を受け取る。
【０００４】
本発明もう一つの特徴は袋詰めゴミ処理装置を提供する。本発明第二実施例は中空長筒状ローラー、軟性棒状物収集装置、ふるい孔クリーンアップ装置を含み、
該ローラーは進料装置、第一コンベアベルト、収集箱、第二コンベアベルトを含み、
該進料装置は該ローラーの前端前方に位置し、
該収集箱は該ローラー下方に設置し、
該第二コンベアベルトは該ローラー後端開口下方に位置し、該ローラー内から落ちた物品を次のゴミ処理工程へと輸送し処理を進め、
該軟性棒状物収集装置は該ローラー内から後方へと延伸し、しかも矩形長方枠体、錐型跨板、長方形間隙、第二収集箱を含み、
該錐型跨板は該枠体頂縁に設置し、
該長方形間隙は該錐型跨板頂端に設置し、
該第二収集箱は該軟性棒状物収集装置後端下方に設置し、該軟性棒状物収集装置から落ちた物質を受け取り、
該ふるい孔クリーンアップ装置は少なくとも１組のポンプと水管、及び該水管中に位置するバルブを含み、該水管の一端は該ローラー内に設置し、少なくとも１個のジェットノズルを形成し該ローラー内壁へと噴水し、及びその反対端は該ポンプの出口に接続する。
【０００５】
本発明袋詰めゴミ処理装置の第二実施例は、該ローラー中の破られたゴミ袋から落ちて来た物質を洗浄し、汚物、油性物質などを除去することができ、有毒物質を洗い淡化することができ、また本発明は回収を含む後続のゴミ処理手順の安全性を向上させることができる。
【０００６】
本発明袋詰めゴミ処理装置の第二実施例は、該ローラー中の破られたゴミ袋から落ちて来た物質を洗浄し、汚泥、ほこり、砂などを除去することができ、該第二装置の操作手順をスムーズにすることができ、さもなければある程度の時間の使用後、ローラー表面の複数の長方形粉塵ふるい孔は詰まってしまう。
【課題を解決するための手段】
【０００７】
請求項１の発明は、サポートフレーム、駆動装置、ローラー、軟性棒状物収集装置を含み、
該駆動装置は該サポートフレーム上に設置し、
該ローラーは該駆動装置により駆動され、しかもその両端に共に開口を備える中空長筒体で、該ローラーは複数の粉塵ふるい孔、弧状托板、複数の袋破刀を含み、
該複数の粉塵ふるい孔は長方形で該ローラー周面に設置し、
該弧状托板は縦方向に、かつ中央に向かい突出し、該弧状托板表面には複数のゴミ袋フックを設置し、
該複数の袋破刀は尖状で、筒壁に沿って縦方向に分布し、しかも該弧状托板と相対し、  該軟性棒状物収集装置は該ローラー後端開口外に設置し、しかも該ローラー内部に伸入し、該ローラー前端に到達し、さらに該軟性棒状物収集装置は矩形長方枠体、錐型跨板、長方形間隙、収集箱を含み、
該錐型跨板は該枠体頂縁に設置し、
該長方形間隙は該錐型跨板頂端に設置し、
該収集箱は該ローラー後端下方に設置し、軟性棒状物を受け取ることを特徴とする袋詰めゴミ処理装置としている。
請求項２の発明は、請求項１記載の袋詰めゴミ処理装置において、前記袋詰めゴミ処理装置はさらにふるい孔クリーンアップ装置を含み、それは該ローラー外に設置し、しかも複数のブラシホイールを設置し、それは該粉塵ふるい孔に対面し、しかも該ローラー表面と接触することを特徴とする袋詰めゴミ処理装置としている。
請求項３の発明は、請求項１記載の袋詰めゴミ処理装置において、前記ローラー外表面中段位置には環状ギア、駆動ギア、第一動力源を含み、
該駆動ギアは該ローラーサポートフレームの任意の側に設置し、しかも該環状ギアと噛み合い、
該第一動力源は該駆動ギアを回転動させることを特徴とする袋詰めゴミ処理装置としている。
請求項４の発明は、請求項１記載の袋詰めゴミ処理装置において、前記軟性棒状物収集装置はさらに第二動力源、環状伝動装置を含み、
該環状伝動装置は該枠体内部に縦に設置し、しかも該第二動力源により駆動され、それは２個の平行な環状チェーン、該２個の環状チェーン間に設置し、突出する複数の押し棒を含むことを特徴とする袋詰めゴミ処理装置としている。
請求項５の発明は、請求項１記載の袋詰めゴミ処理装置において、前記ローラーは前端から後端へと傾斜することを特徴とする袋詰めゴミ処理装置としている。
請求項６の発明は、請求項１記載の袋詰めゴミ処理装置において、前記サポートフレームの任意の側には前後２個のローラーを含み、該ローラーは該サポートフレーム上方で支えられることを特徴とする袋詰めゴミ処理装置としている。
請求項７の発明は、請求項２記載の袋詰めゴミ処理装置において、前記ふるい孔クリーンアップ装置は２個のサポートフレーム、駆動軸、複数のブラシホイール、駆動装置を含み、
該駆動軸は該２個のサポートフレームの間に設置し、
該ブラシホイールは該駆動軸上に設置し、
該駆動装置は該ブラシホイールを回転動させ該ローラー面に接触させ、各粉塵ふるい孔中の詰まりを清掃することを特徴とする袋詰めゴミ処理装置としている。
【０００８】
請求項８の発明は、サポートフレーム、駆動装置、ローラー、軟性棒状物収集装置、ふるい孔クリーンアップ装置を含み、
該駆動装置は該サポートフレーム上に設置し、
該ローラーは該駆動装置により駆動され、しかもその両端に共に開口を備える中空長筒体で、該ローラーは複数の粉塵ふるい孔、弧状托板、複数の袋破刀を含み、
該複数の粉塵ふるい孔は長方形で該ローラー周面に設置し、
該弧状托板は縦方向に、かつ中央に向かい突出し、該弧状托板表面には複数のゴミ袋フックを設置し、
該複数の袋破刀は尖状で、筒壁に沿って縦方向に分布し、しかも該弧状托板と相対し、  該軟性棒状物収集装置は該ローラー後端開口外に設置し、しかも該ローラー内部に伸入し、該ローラー前端に到達し、さらに該軟性棒状物収集装置は矩形長方枠体、錐型跨板、長方形間隙、収集箱を含み、
該錐型跨板は該枠体頂縁に設置し、
該長方形間隙は該錐型跨板頂端に設置し、
該収集箱は該ローラー後端下方に設置し、軟性棒状物を受け取り、
該ふるい孔クリーンアップ装置は少なくとも１個のポンプと水管を含み、その一端は該ローラー内に設置し、少なくとも１個のジェットノズルを形成し該ローラー内壁へと噴水し、及びその反対端は該ポンプの出口に接続することを特徴とする袋詰めゴミ処理装置としている。
請求項９の発明は、請求項８記載の袋詰めゴミ処理装置において、前記軟性棒状物収集装置はさらに第二動力源、環状伝動装置を含み、
該環状伝動装置は該枠体内部に縦に設置し、しかも該第二動力源により駆動され、それは２個の平行な環状チェーン、該２個の環状チェーン間に設置し、突出する複数の押し棒を含むことを特徴とする袋詰めゴミ処理装置としている。
請求項１０の発明は、請求項８記載の袋詰めゴミ処理装置において、前記ローラーは前端から後端へと傾斜することを特徴とする袋詰めゴミ処理装置としている。
請求項１１の発明は、請求項８記載の袋詰めゴミ処理装置において、前記サポートフレームの任意の側には前後２個のローラーを含み、該ローラーは該サポートフレーム上方で支えられることを特徴とする袋詰めゴミ処理装置としている。
【発明の効果】
【０００９】
本発明はゴミを詰めた袋を破ることができ、袋を破った後、ゴミ袋中の軟性棒状物及び粉塵を収集、処理し、後続のゴミ処理に便利である。
【発明を実施するための最良の形態】
【００１０】
先ず図１〜７に示すように、本発明第一実施例の袋詰めゴミ処理装置は、ローラー１、軟性棒状物収集装置２、ふるい孔クリーンアップ装置３を含む。
該ローラー１は前後端が開いた長方形の中空筒体で、ローラーサポートフレーム１１を含み、後方へと傾斜したローラー１を支える。該ローラー１の最適な傾斜角度は４度で、該ローラーサポートフレーム１１の任意の側には前後２個の回転ホイール１１０を含む。これにより該ローラー１はプラットフォーム上で支えられ、該ローラー１下方にはロート型収集槽１８を設置する。
該ローラー１の傾斜がより高い前端外側には、進料装置１２を設置し、該進料装置１２は袋詰めゴミを輸送し該ローラー１内に入れる進料コンベアベルト１２０を備える。該進料コンベアベルト１２０両側には、高くなったサポート板１２２をそれぞれ設置し、該進料コンベアベルト１２０前端上方と該ローラー１は相互に一定の距離を隔てる。こうして袋詰めゴミを導引し該進料コンベアベルト１２０に落とし入れる入料ロート１２１を設置する。
該ローラー１外表面は複数の長方形粉塵ふるい孔１３が貫通し、該粉塵ふるい孔１３の最適な長さと幅は１５センチ、１４センチである。これにより直径４センチ以下の粉塵をふるい分けることができる。
該ローラー１外表面の中段位置には環状ギア１４を設置し、該ローラーサポートフレーム１１の任意側は該環状ギア１４の位置に対応し、ローラー動力源(モーターなど)１１１により駆動される駆動ギア１１２を設置する。    該駆動ギア１１２と該環状ギア１４は噛み合い、こうして該ローラー動力源１１１により該駆動ギア１１２と該環状ギア１４は駆動され、該ローラー１は該ローラーサポートフレーム１１上において回転することができる。
該ローラー１内壁上には縦方向に、筒壁全体に分布する弧状托板１５を固設する。該弧状托板１５は該ローラー１の中心線に向かい広がり、該弧状托板１５の底部は、該サポートフレーム１５０により該ローラー１内壁と連接し、該弧状托板１５を支える。該弧状托板１５の片面には、複数のやや勾配を呈するゴミ袋フック１５１を設置する。該ローラー１内壁は該弧状托板１５の筒壁上とは異なり、筒壁に沿って縦方向に分布し、しかも鋭く突起する複数の袋破刀１６を設置する。該ローラー１は該進料装置１２の後端開口下縁に対応し、下方へと斜導板１７を斜めに延伸する。該斜導板１７下方にはそれと垂直なコンベアベルト１７０を設置する。該コンベアベルト１７０は該ローラー１内より落ち出て来る物質を次のゴミ処理工程へと輸送する。
【００１１】
該軟性棒状物収集装置２は該ローラー１後端開口外に設置し、しかも該ローラー１内部へと伸入する。該軟性棒状物収集装置２は矩形長方形の枠体２０を設置し、該枠体２０はサポートフレーム２００により該ローラー１前端外の進料コンベアベルト１２０両側サポート板１２２上方に設置される。また別のサポートフレーム２００は該ローラー１後端開口外に設置され、高く設置する状態を形成する。該枠体２０内部には、環状伝動装置２１を縦に設置し、チェーン２１０により該枠体２０内部において封鎖した循環動作を構成する。該伝動装置２１は２個の封鎖チェーン２１０と動力源(モーターなど)２１１により組成し、該２個のチェーン２１０間には該チェーン２１０に垂直で、かつ突出する複数の押し棒２２を固設する。該各押し棒２２は該各封鎖したチェーン２１０上において等間隔を呈し分布し、該枠体２０上方には錐型跨板２３を固設する。その上方には該各押し棒２２を、その間隙に通過させる逆Ｖ字型の導入部品２３０を設置する。それは該ローラー１内壁上のゴミが該チェーン２１０へ落下進入し、該チェーン２１０の伝動を妨害することを防止することができる。該軟性棒状物収集装置２後端は該ローラー１下方に相対し、該軟性棒状物収集装置２により落下される軟性棒状物を受け取ることができる収集箱２４を設置する。その目的は軟性棒状物を収集し、集中処理を行うことである。
【００１２】
上記配置により、本発明の使用時には、先ず該ローラー動力源１１１と該軟性棒状物収集装置２の動力源２１１のスイッチを入れ、該ローラー１を回転させる。該軟性棒状物収集装置２の押し棒２２は該伝動装置２１に従い運動し、これにより該入料ロート１２１に送り入れ、しかも該進料コンベアベルト１２０に落ち入った袋詰めゴミを該ローラー１内へと押し入れる。この時、該ローラー１は回転動を持続しているため、該ローラー１内の袋破刀１６はゴミ袋を破り、こうしてゴミ袋中のゴミは該ローラー１内に散らばる。並びに、該ローラー１の回転動と同時に、該ローラー１内の弧状托板１５は該ゴミを持ち上げ、しかも該ローラー１の上がった位置まで回転させる。この時、該弧状托板１５表面に設置する複数のゴミ袋フック１５１により、該軟性棒状物Ａは該ゴミ袋フック１５１により引っ掛けられ、一時的に落下しない。一方、他の非軟性棒状物Ｂは該ゴミ袋フック１５１により引っ掛けられないため、下方へと該ローラー１内に落下し回転動を続ける。これら非軟性棒状物Ｂゴミ中に混じる粉塵及び中小型物品の、粉塵は該ローラー１の粉塵ふるい孔１３によりふるわれ、該ローラー１下方へと出され、該ローラー１下方の収集槽１８により集中回収処理される。こうして初期段階のゴミ中の粉塵をふるい集める。
【００１３】
該弧状托板１５上に掛かる軟性棒状物Ａは、該弧状托板１５により継続し上方へと持ち上げられ、高くなり該軟性棒状物収集装置２の枠体２０上方に相対する時、その相対最高点の位置において、該軟性棒状物Ａは重力の作用を受け、該弧状托板１５から離脱し下方へと墜落する。しかも、該軟性棒状物Ａは棒状を呈するため、落下した軟性棒状物Ａは該軟性棒状物収集装置２の錐型跨板２３上に跨ぎ置かれ易い。この時、該軟性棒状物収集装置２の各押し棒２２は、該錐型跨板２３上において該収集箱２４の方向へと移動を持続するため、該錐型跨板２３上に落下し跨ぎ置かれた軟性棒状物Ａは該錐型跨板２３に沿って該収集箱２４の方向へと押される。該枠体２０後端にまで押されると、該軟性棒状物Ａは該収集箱２４内に落下し収集される。該押し棒２２は該伝動装置２１に従い、該枠体２０下方まで再び戻り循環動作を進行する。
【００１４】
本発明は該ローラー１を前後に傾斜する状態に設置するため、該ローラー１内に残留する非軟性棒状物Ｂと非粉塵の他のゴミは、該ローラー１後方の開口に沿って回転動する。最後に該斜導板１７によりその他のゴミは持ち出され、下方のコンベアベルト１７０に落ち入る。該コンベアベルト１７０はこれら他のゴミを後続の処理工程Ｐへと輸送し、処理(後続の処理工程Ｐは本発明の重点ではないため、ここでは詳述しない)を行う。上記本発明の全体設計により、効果的で、しかも自動的にゴミ中の粉塵と軟性棒状物Ａを分離することができ、ゴミ分類を迅速にする長所を確実に備える。
【００１５】
図１、７に示すように、本発明ローラー１は、一定時間の運転使用後、該ローラー１上の粉塵ふるい孔１３は詰まり、粉塵の排出に影響を及ぼす可能性がある。よって、本発明はまたふるい孔クリーンアップ装置３を設計する。それは該ローラー１外に設置し、該ローラー１の筒本体と平行に設置する。
該ローラー１はサポートフレーム３０を備え、該サポートフレーム３０は該ローラー１の筒本体中央位置に向かい、該ローラー１表面と接触する複数のブラシホイール３１を突出設置する。該各ブラシホイール３１は硬質のブラシにより構成し、該ブラシホイール３１はブラシホイール動力源(モーターなど)３２、変速箱３３、チェーン３４、２個のチェーンホイール３５の駆動により回転する。
これにより、操作者が該ローラー１上の粉塵ふるい孔１３が詰まっていることを発見すると、該ふるい孔クリーンアップ装置３のブラシホイール動力源３２を起動し、或いは該ブラシホイール動力源３２を定時起動に設定し、こうして該ブラシホイール３１により、該ブラシホイール３１上の硬質ブラシにより該回転中のローラー１の各粉塵ふるい孔１３に対して、詰まっている粉塵にブラシ掛けをするクリーンアップ作業を行う。これにより該ローラー１の粉塵ふるい孔１３をクリーンアップする機能を達成する。
【００１６】
本発明第二実施例の袋詰めゴミ処理装置の立体図である図８〜図１６に示すように、袋詰めゴミ処理装置はローラー１、軟性棒状物収集装置２、ふるい孔クリーンアップ装置３Ａを含む。
該ローラー１は前後端が開いた長方形の中空筒体で、ローラーサポートフレーム１１を含み、後方へと傾斜した筒体１０を支える。該筒体１０の最適な傾斜角度は４度で、該ローラーサポートフレーム１１の任意の側には前後２個の回転ホイール１１０を含む。これにより該筒体１０はプラットフォーム上で支えられ、該筒体１０下方にはロート型収集槽１８を設置する。
該ローラー１の傾斜がより高い前端外側には、進料装置１２を設置し、該進料装置１２は袋詰めゴミを輸送し該ローラー１内に入れる進料コンベアベルト１２０を備える。該進料コンベアベルト１２０両側には、高くなったサポート板１２２をそれぞれ設置し、該進料コンベアベルト１２０前端上方と該ローラー１は相互に一定の距離を隔てる。こうして袋詰めゴミを導引し該進料コンベアベルト１２０に落とし入れる入料ロート１２１を設置する。
該筒体１０外表面は複数の長方形粉塵ふるい孔１３が貫通し、該粉塵ふるい孔１３の最適な長さと幅は１５センチ、１４センチである。これにより直径４センチ以下の粉塵をふるい分けることができる。
該筒体１０外表面の中段位置には環状ギア１４を設置し、該ローラーサポートフレーム１１の任意側は該環状ギア１４の位置に対応し、ローラー動力源(モーターなど)１１１により駆動される駆動ギア１１２を設置する。該駆動ギア１１２と該環状ギア１４は噛み合い、こうして該ローラー動力源１１１により該駆動ギア１１２と該環状ギア１４は駆動され、該筒体１０は該ローラーサポートフレーム１１上において回転することができる。
該筒体１０内壁上には縦方向に、筒壁全体に分布する弧状托板１５を固設する。該弧状托板１５は該筒体１０の中心線に向かい広がり、該弧状托板１５の底部は、該サポートフレーム１５０により該筒体１０内壁と連接し、該弧状托板１５を支える。該弧状托板１５の片面には、複数のやや勾配を呈するゴミ袋フック１５１を設置する。該筒体１０内壁は該弧状托板１５の筒壁上とは異なり、筒壁に沿って縦方向に分布し、しかも鋭く突起する複数の袋破刀１６を設置する。該筒体１０内壁上には複数の筒壁に沿って縦方向に分布する長棒１６２を設置する。該筒体１０は該進料装置１２の後端開口下縁に対応し、該筒体１０と垂直なコンベアベルト１７０を設置する。該コンベアベルト１７０は該筒体１０内より落ち出て来る物質を次のゴミ処理工程へと輸送する。
【００１７】
該軟性棒状物収集装置２は該筒体１０後端開口外に設置し、しかも該筒体１０内部へと伸入する。該軟性棒状物収集装置２は矩形長方形の枠体２０を設置し、該枠体２０はサポートフレーム２００により該筒体１０前端外の進料コンベアベルト１２０両側サポート板１２２上方に設置される。また別のサポートフレーム２００は該筒体１０後端開口外に設置され、高く設置する状態を形成する。該枠体２０内部には、環状伝動装置２１を縦に設置し、チェーン２１０により該枠体２０内部において封鎖した循環動作を構成する。該伝動装置２１は２個の封鎖チェーン２１０と、該チェーン２１０を駆動する動力源(モーターなど、図示なし)により組成し、該２個のチェーン２１０間には該チェーン２１０に垂直で、かつ突出する複数の押し棒２２を固設する。該各押し棒２２は該各封鎖したチェーン２１０上において等間隔を呈し分布し、該枠体２０上方には錐型跨板２３を固設する。その上方には該各押し棒２２を、その間隙に通過させる逆Ｖ字型の導入部品２３０を設置する。それは該筒体１０内壁上のゴミが該チェーン２１０へ落下進入し、該チェーン２１０の伝動を妨害することを防止することができる。該軟性棒状物収集装置２後端は該筒体１０下方に相対し、該軟性棒状物収集装置２により落下される軟性棒状物を受け取ることができる収集箱２４を設置する。その目的は軟性棒状物を収集し、集中処理を行うことである。
【００１８】
本発明の筒体１０は、一定時間の運転使用後、該筒体１０上の粉塵ふるい孔１３は詰まり、粉塵の排出に影響を及ぼす可能性がある。よって、本発明はまたふるい孔クリーンアップ装置３Ａを設計する。それは該筒体１０外で、かつ該軟性棒状物収集装置２の枠体２０後端下方に設置する。
該ふるい孔クリーンアップ装置３Ａは２個のポンプ３６、２個の水管３７を備え、その一端は該筒体１０内に設置し、少なくとも１個の該粉塵ふるい孔１３に対面するジェットノズル(図示なし)を形成する。反対端は該ポンプ３６の出口に繋がり、及び２個の制御バルブ３７１を該水管３７中にそれぞれ設置する。ポンプ及びその付属部品の数量は、応用の必要に応じて改変することができる。
【００１９】
上記配置により、本発明の使用時には、先ず該ローラー動力源１１１と該軟性棒状物収集装置２の動力源２１１のスイッチを入れ、該筒体１０を回転させる。該軟性棒状物収集装置２の押し棒２２は該伝動装置２１に従い運動し、これにより該入料ロート１２１に送り入れ、しかも該進料コンベアベルト１２０に落ち入った袋詰めゴミを該筒体１０内へと押し入れる。この時、該筒体１０は回転動を持続しているため、該筒体１０内の袋破刀１６はゴミ袋を破り、こうしてゴミ袋中のゴミは該筒体１０内に散らばり、該長棒１６２は該軟性棒状物(ロープなど)Ａを支える。但し、該長棒１６２が該筒体１０内壁の上方まで回転動すると、該軟性棒状物Ａは重力の作用を受け、該筒体１０内へと墜落し、回転動を持続する。しかも該筒体１０の回転動と同時に、該筒体１０内の弧状托板１５は該ゴミを持ち上げ、しかも該筒体１０の上がった位置まで回転させる。この時、該弧状托板１５表面に設置する複数のゴミ袋フック１５１により、該軟性棒状物Ａは該ゴミ袋フック１５１により引っ掛けられ、一時的に落下しない。一方、他の非軟性棒状物Ｂは該ゴミ袋フック１５１により引っ掛けられないため、下方へと該筒体１０内に落下し回転動を続ける。これら非軟性棒状物Ｂゴミ中に混じる粉塵及び中小型物品の、粉塵は該筒体１０の粉塵ふるい孔１３によりふるわれ、該筒体１０下方へと出され、該筒体１０下方の収集槽１８により集中回収処理される。こうして初期段階のゴミ中の粉塵をふるい集める。
【００２０】
該弧状托板１５上に掛かる軟性棒状物Ａは、該弧状托板１５により継続し上方へと持ち上げられ、高くなり該軟性棒状物収集装置２の枠体２０上方に相対する時、その相対最高点の位置において、該軟性棒状物Ａは重力の作用を受け、該弧状托板１５から離脱し下方へと墜落する。しかも、該軟性棒状物Ａは棒状を呈するため、落下した軟性棒状物Ａは該軟性棒状物収集装置２の錐型跨板２３上に跨ぎ置かれ易い。この時、該軟性棒状物収集装置２の各押し棒２２は、該錐型跨板２３上において該収集箱２４の方向へと移動を持続するため、該錐型跨板２３上に落下し跨ぎ置かれた軟性棒状物Ａは該錐型跨板２３に沿って該収集箱２４の方向へと押される。該枠体２０後端にまで押されると、該軟性棒状物Ａは該収集箱２４内に落下し収集される。該押し棒２２は該伝動装置２１に従い、該枠体２０下方まで再び戻り循環動作を進行する。
【００２１】
本発明は該筒体１０を前後に傾斜する状態に設置するため、該筒体１０内に残留する非軟性棒状物Ｂと非粉塵の他のゴミは、該筒体１０後方の開口に沿って回転動し、最後に下方のコンベアベルト１７０に落ち入る。該コンベアベルト１７０はこれら他のゴミを後続の処理工程Ｐへと輸送し、処理(後続の処理工程Ｐは本発明の重点ではないため、ここでは詳述しない)を行う。上記本発明の全体設計により、効果的で、しかも自動的にゴミ中の粉塵と軟性棒状物Ａを分離することができ、ゴミ分類を迅速にする長所を確実に備える。
【００２２】
本発明のローラー１は、一定時間の運転使用後、該ローラー１上の粉塵ふるい孔１３は詰まり、粉塵の排出に影響を及ぼす可能性がある。よって、操作者が該筒体１０上の粉塵ふるい孔１３が詰まっていることを発見すると、該ふるい孔クリーンアップ装置３Ａを起動し、ジェットノズルにより該筒体１０内へと水を噴射し、該粉塵ふるい孔１３を洗浄する。或いは該ふるい孔クリーンアップ装置３Ａをゴミ袋が該筒体１０に進入すると起動するように設定することができる。こうして汚泥を洗浄し、有毒物質を淡化する機能を備え、後続の処理工程Ｐの安全性を向上させることができる。
【図面の簡単な説明】
【００２３】
【図１】本発明第一実施例の袋詰めゴミ処理装置の立体図である。
【図２】図１のローラーの立体図である。
【図３】軟性棒状物収集装置の拡大立体図である。
【図４】図３のＡ−Ａ線における断面図である。
【図５】本発明の袋詰めゴミ処理装置に基づく操作を説明する袋詰めゴミ処理装置の前面図である。
【図６】図１の袋詰めゴミ処理装置の側面図である。
【図７】ふるい孔クリーンアップ装置の立体図である。
【図８】本発明第二実施例の袋詰めゴミ処理装置の立体図である。
【図９】図８のローラー、軟性棒状物収集装置、ふるい孔クリーンアップ装置の拡大立体図である。
【図１０】ローラーが執行する袋破壊操作を説明する図９の後面図である。
【図１１】図９の側面図である。
【図１２】図８の軟性棒状物収集装置の拡大立体図である。
【図１３】図１２のＢ−Ｂ線における断面図である。
【図１４】図８のふるい孔クリーンアップ装置の拡大立体図である。
【図１５】図１１のローラーの縦方向断面図である。
【図１６】ローラーが執行する袋破壊操作を説明する図１５に類似の指示図である。
【符号の説明】
【００２４】
１  ローラー
１１  ローラーサポートフレーム
１１１  ローラー動力源
１１２  駆動ギア
１１０  回転ホイール
１０  筒体
１２  進料装置
１２０  進料コンベアベルト
１２１  入料ロート
１２２  サポート板
１３  粉塵ふるい孔
１４  環状ギア
１５  弧状托板
１５０  サポートフレーム
１５１  ゴミ袋フック
１６  袋破刀
１６２  長棒
１７  斜導板
１７０  コンベアベルト
１８  ロート型収集槽
２  軟性棒状物収集装置
２０  枠体
２１  環状伝動装置
２１０  チェーン
２１１  動力源
２００  サポートフレーム
２２  押し棒
２３  錐型跨板
２３０  導入部品
２４  収集箱
３  ふるい孔クリーンアップ装置
３Ａ  ふるい孔クリーンアップ装置
３０  サポートフレーム
３１  ブラシホイール
３２  ブラシホイール動力源
３３  変速箱
３４  チェーン
３５  チェーンホイール
３６  ポンプ
３７  水管
３７１  制御バルブ
Ａ  軟性棒状物
Ｂ  非軟性棒状物
Ｐ  後続の処理工程
【図１】
2009511387.tif 000003
【図２】
2009511387.tif 000004
【図３】
2009511387.tif 000005
【図４】
2009511387.tif 000006
【図５】
2009511387.tif 000007
【図６】
2009511387.tif 000008
【図７】
2009511387.tif 000009
【図８】
2009511387.tif 000010
【図９】
2009511387.tif 000011
【図１０】
2009511387.tif 000012
【図１１】
2009511387.tif 000013
【図１２】
2009511387.tif 000014
【図１３】
2009511387.tif 000015
【図１４】
2009511387.tif 000016
【図１５】
2009511387.tif 000017
【図１６】
2009511387.tif 000018
2009511387.tif 000019
【国際調査報告】
2009511387.tif 000020
2009511387.tif 000021
2009511387.tif 000022